(57)【要約】【課題】  電源線の電圧降下を均一にさせて発光輝度が均一になるようにする。【解決手段】  複数の走査線と複数のデータ線によって定義される複数の画素を含む画像表示部１２０と，画像表示部１２０の第１側に配置され，駆動電圧が供給される第１電源線１５０と，画像表示部１２０の第２側に配置され，駆動電圧が供給される第２電源線１５２と，画像表示部１２０の第３側から各画素１２１に駆動電圧を供給する第３電源線１５４と，画像表示部１２０の第４側から各画素１２１に駆動電圧を供給する第４電源線１５６と，第１及び第２の電源連結線１５３，１５５と，第３及び第４の電源連結線１５７，１５９とを備える。【選択図】    図２
2006113587.tif 000002
【特許請求の範囲】
【請求項１】
複数の走査線と複数のデータ線によって定義される複数の画素を含む画像表示部と；
前記画像表示部の第１側に配置され，駆動電圧が供給される第１電源線と；
前記画像表示部の第２側に配置され，前記駆動電圧が供給される第２電源線と；
前記画像表示部の第３側から前記各画素に前記駆動電圧を供給する第３電源線と；
前記画像表示部の第４側から前記各画素に前記駆動電圧を供給する第４電源線と；
前記第１電源線と前記第３電源線の長さ方向上の第１接続点とを電気的に接続する第１電源連結線と；
前記第２電源線と前記第３電源線の長さ方向上の第２接続点とを電気的に接続する第２電源連結線と；
前記第１電源線と前記第４電源線の長さ方向上の第３接続点とを電気的に接続する第３電源連結線と；
前記第２電源線と前記第４電源線の長さ方向上の第４接続点とを電気的に接続する第４電源連結線と；
を備えることを特徴とする，発光表示装置。
【請求項２】
前記第１電源連結線は，前記第１電源線の一側と前記第１接続点間に電気的に接続され，
前記第２電源連結線は，前記第２電源線の一側と前記第２接続点間に電気的に接続されることを特徴とする，請求項１に記載の発光表示装置。
【請求項３】
前記第３電源連結線は，前記第１電源線の他側と前記第３接続点間に電気的に接続され，
前記第４電源連結線は前記第２電源線の他側と前記第４接続点間に電気的に接続されることを特徴とする請求項２に記載の発光表示装置。
【請求項４】
前記第１接続点は，前記第３電源線の一側終端と中心の間に電気的に接続され，
前記第２接続点は，前記第３電源線の他側終端と中心の間に電気的に接続されることを特徴とする，請求項１〜３のいずれかに記載の発光表示装置。
【請求項５】
前記第３接続点は，前記第４電源線の一側終端と中心の間に電気的に接続され，
前記第４接続点は，前記第４電源線の他側終端と中心の間に電気的に接続されることを特徴とする，請求項１〜４のいずれかに記載の発光表示装置。
【請求項６】
前記第３電源連結線及び前記第４電源連結線は，Ｓ字型に屈曲されて形成されることを特徴とする，請求項１〜５のいずれかに記載の発光表示装置。
【請求項７】
前記第３電源連結線及び前記第４の電源連結線は，前記第１電源連結線及び前記第２電源連結線と異なる線抵抗を持つことを特徴とする，請求項１に記載の発光表示装置。
【請求項８】
前記第３接続点及び前記第４接続点に供給される前記駆動電圧は，前記第１接続点及び前記第２接続点に供給される前記駆動電圧と同一であることを特徴とする，請求項１に記載の発光表示装置。
【請求項９】
前記第３電源連結線及び前記第４電源連結線は，前記第１電源線及び第２電源線の他側からの前記駆動電圧を電圧降下させ，前記第３接続点及び前記第４接続点に供給することを特徴とする請求項８に記載の発光表示装置。
【請求項１０】
走査線に供給される走査信号によってデータ線に供給されるデータ信号に対応する電流を画素電源線から供給を受けて発光する複数の画素を含む画像表示部と；
前記画像表示部の第１側に配置され，外部から駆動電圧が供給される第１電源線と；
前記画像表示部の第２側に配置され，外部から駆動電圧が供給される第２電源線と；
前記画素電源線の一側に前記駆動電圧を供給する第３電源線と；
前記画素電源線の他側に前記駆動電圧を供給する第４電源線と；
一側が前記第１電源線に電気的に接続され，他側は前記第３電源線の一側終端と中心の間に電気的に接続される第１電源連結線と；
一側が前記第２電源線に電気的に接続され，他側は前記第３電源線の他側終端と中心の間に電気的に接続される第２電源連結線と；
一側が前記第１電源線に電気的に接続され，他側は前記第４電源線の一側終端と中心の間に電気的に接続される第３電源連結線と；
一側が前記第２電源線に電気的に接続され，他側は前記第４電源線の他側終端と中心の間に電気的に接続される第４電源連結線と；
を備えることを特徴とする，発光表示装置。
【請求項１１】
前記第３電源連結線及び前記第４の電源連結線は，Ｓ字型に屈曲して形成されることを特徴とする，請求項１０に記載の発光表示装置。
【請求項１２】
前記第３電源連結線及び前記第４の電源連結線は，前記第１及び第２電源連結線と異なる線抵抗を持つことを特徴とする，請求項１０に記載の発光表示装置。
【請求項１３】
前記第４電源線に供給される前記駆動電圧は，前記第３電源線に供給される前記駆動電圧と同一であることを特徴とする，請求項１０に記載の発光表示装置。
【請求項１４】
前記第３電源連結線及び前記第４電源連結線は，前記第３電源線に供給される前記駆動電圧と同一となるように前記第１及び第２電源線の他側からの前記駆動電圧を電圧降下させ，前記第４電源線に供給することを特徴とする，請求項１３に記載の発光表示装置。
【発明の詳細な説明】
【技術分野】
【０００１】
本発明は発光表示装置に関するものであり，特に電源線の電圧降下を均一にし，発光輝度を均一にする発光表示装置に関する。
【背景技術】
【０００２】
近年，陰極線管（Ｃａｔｈｏｄｅ  Ｒａｙ  Ｔｕｂｅ）の短所である重さと体積を減らすことができる各種平板表示装置が開発されている。平板表示装置としては，液晶表示装置（Ｌｉｑｕｉｄ  Ｃｒｙｓｔａｌ  Ｄｉｓｐｌａｙ），電界放出表示装置（Ｆｉｅｌｄ  Ｅｍｉｓｓｉｏｎ  Ｄｉｓｐｌａｙ），フラズマ  ディスプレイ（Ｐｌａｓｍａ  Ｄｉｓｐｌａｙ  Ｐａｎｅｌ），及び発光表示装置（Ｌｉｇｈｔ  Ｅｍｉｔｔｉｎｇ  Ｄｉｓｐｌａｙ）などがある。
【０００３】
平板表示装置の中で発光表示装置は，電子と正孔の再結合によって蛍光物質を発光させる自発光素子であり，材料及び構造によって無機物の発光層を含む無機発光表示装置と有機物の発光層を含む有機発光表示装置に大別される。この時，有機発光表示装置は電界発光表示装置とも呼ばれる。このような，発光表示装置は液晶表示装置のように別の光源を必要とする受動型の発光素子に比べ，陰極線管のように速い応答速度を有するという長所がある。
【０００４】
図１は一般的な発光表示装置を示す図である。図１に示したように，一般的な発光表示装置は，基板１０と，基板１０に形成される走査線Ｓとデータ線Ｄ及び画素電源線ＶＤＤによって定義される領域に配置される複数の画素２１を持つ画像表示部２０，走査駆動部３０，データ駆動部４０，第１電源線５０，第２画素電源線５２及びパッド部６０を具備する。
【０００５】
走査駆動部３０は，画像表示部２０の一側に隣接するように配置され，走査制御信号線３２に通じてパッド部６０の第１パッドＰｓに電気的に接続される。このような，走査駆動部３０は，走査制御信号線３２によって走査信号を発生し，画像表示部２０の走査線Ｓに順次的に供給する。
【０００６】
データ駆動部４０は，データ線Ｄに電気的に接続され，パッド部６０の第２パッドＰｄに電気的に接続される。この時，データ駆動部４０はチップ形態に製作されて基板１０上に実装することができる。
【０００７】
第２画素電源線５２は，画像表示部２０の全面に形成される。このような，第２画素電源線５２はパッド部６０の第３パッドＰｖｓｓから伝達される第２画素駆動電圧を各画素２１に共通的に供給する。
【０００８】
第１電源線５０は，画像表示部２０の上側に隣接するように形成され，第１画素電源線ＶＤＤの一側に共通的に接続される。このような，第１電源線５０は，第１電源供給線４８を通じてパッド部６０の第４パッドＰｖｄｄから伝達される第１画素駆動電圧を各画素２１の第１画素電源線ＶＤＤに供給する。
【０００９】
各第１画素電源線ＶＤＤの一側は，第１電源線５０に共通に接続される。このような，各第１画素電源線ＶＤＤは第１電源線５０から供給される第１画素駆動電圧を各画素２１に供給する。これによって，各画素２１は走査線Ｓに供給される走査信号によって制御され，データ線Ｄに供給されたデータ信号によって第１画素電源線ＶＤＤから発光素子に供給される電流によって発光し，画像を表示することになる。
【００１０】
従来の発光表示装置を記載した文献としては，例えば，アクティブマトリックス型有機電界発光素子における電源電圧降下を減らすための配線構造を開示した特許文献１があり，また，有機電界発光パネルとこれを持つ有機電界発光装置を開示した特許文献２，さらに表示装置及びその発光装置を開示した特許文献３，４等がある。
【００１１】
【特許文献１】大韓民国特許出願公開第２００４−００５９０３７号明細書
【特許文献２】大韓民国特許出願公開第２００４−０００３９６２号明細書
【特許文献３】特開２００３−３３０３８７号公報
【特許文献４】特開２００３−３１６２９１号公報
【発明の開示】
【発明が解決しようとする課題】
【００１２】
このような，一般的な発光表示装置は，第１電源線５０に共通に接続される各第１画素電源線ＶＤＤの長さによる線抵抗の不均一のため，各画素２１に供給される第１画素駆動電圧の電圧降下（ＩＲＤｒｏｐ）の大きさが互いに異なるようになる。すなわち，第１電源線５０に隣接するほど第１画素電源線ＶＤＤの電圧降下の大きさは小さい反面，第１電源線５０から遠くなるほど第１画素電源線ＶＤＤの電圧降下の大きさは増加することになる。これにより，一般的な発光表示装置は，画素２１の位置による第１画素電源線ＶＤＤの電圧降下の不均一により，同一データ信号に対して各画素２１の位置ごとに電流量が異なるようになり，発光輝度が不均一になるという問題があった。
【００１３】
そこで，本発明は，このような問題に鑑みてなされたもので，その目的とするところは，電源線の電圧降下を均一にさせて発光輝度が均一になるようにした発光表示装置を提供することにある。
【課題を解決するための手段】
【００１４】
上記課題を解決するために本発明のある観点によれば，複数の走査線と複数のデータ線によって定義される複数の画素を含む画像表示部と；画像表示部の第１側に配置され，駆動電圧が供給される第１電源線と；画像表示部の第２側に配置され，駆動電圧が供給される第２電源線と；画像表示部の第３側から前記各画素に駆動電圧を供給する第３電源線と；画像表示部の第４側から各画素に駆動電圧を供給する第４電源線と；第１電源線と第３電源線の長さ方向上の第１接続点とを電気的に接続する第１電源連結線と；第２電源線と第３電源線の長さ方向上の第２接続点とを電気的に接続する第２電源連結線と；第１電源線と第４電源線の長さ方向上の第３接続点とを電気的に接続する第３電源連結線と；第２電源線と第４電源線の長さ方向上の第４接続点とを電気的に接続する第４電源連結線と；を備えることを特徴とする，発光表示装置が提供される。
【００１５】
第１電源連結線は，第１電源線の一側と第１接続点間に電気的に接続され，第２電源連結線は，第２電源線の一側と第２接続点間に電気的に接続されるようにしてもよい。第３電源連結線は，第１電源線の他側と第３接続点間に電気的に接続し，第４電源連結線は第２電源線の他側と第４接続点間に電気的に接続するようにしてもよい。
【００１６】
また，第１接続点及び第２の接続点は，第３電源線上に電流パスの長さが同一となるように位置し，第３接続点及び第４の接続点は，第４電源線上に電流パスの長さが同一となるように位置するようにしてもよい。また，第１接続点は，第３電源線の一側終端と中心の間に電気的に接続し，第２接続点は，第３電源線の他側終端と中心の間に電気的に接続するようにしてもよい。第３接続点は，第４電源線の一側終端と中心の間に電気的に接続し，第４接続点は，第４電源線の他側終端と中心の間に電気的に接続するようにしてもよい。
【００１７】
第３電源連結線及び第４電源連結線は，Ｓ字型に屈曲されて形成するようにしてもよい。第３電源連結線及び第４の電源連結線は，第１電源連結線及び第２電源連結線と異なる線抵抗を持つようにしてもよい。
【００１８】
第３接続点及び第４接続点に供給される駆動電圧は，第１接続点及び第２接続点に供給される駆動電圧と同一であってもよい。第３電源連結線及び第４電源連結線は，第１電源線及び第２電源線の他側からの駆動電圧を電圧降下させ，第３接続点及び第４接続点に供給するようにしてもよい。
【００１９】
上記課題を解決するために本発明の別の観点によれば，走査線に供給される走査信号によってデータ線に供給されるデータ信号に対応する電流を画素電源線から供給を受けて発光する複数の画素を含む画像表示部と；画像表示部の第１側に配置され，外部から駆動電圧が供給される第１電源線と；画像表示部の第２側に配置され，外部から駆動電圧が供給される第２電源線と；画素電源線の一側に前記駆動電圧を供給する第３電源線と；画素電源線の他側に前記駆動電圧を供給する第４電源線と；一側が第１電源線に電気的に接続され，他側は前記第３電源線の一側終端と中心の間に電気的に接続される第１電源連結線と；一側が第２電源線に電気的に接続され，他側は前記第３電源線の他側終端と中心の間に電気的に接続される第２電源連結線と；一側が第１電源線に電気的に接続され，他側は第４電源線の一側終端と中心の間に電気的に接続される第３電源連結線と；一側が第２電源線に電気的に接続され，他側は第４電源線の他側終端と中心の間に電気的に接続される第４電源連結線と；を備えることを特徴とする，発光表示装置が提供される。
【００２０】
第３電源連結線及び第４の電源連結線は，Ｓ字型に屈曲して形成するようにしてもよい。第３電源連結線及び第４の電源連結線は，第１及び第２電源連結線と異なる線抵抗を持つようにしてもよい。
【００２１】
第４電源線に供給される駆動電圧は，第３電源線に供給される駆動電圧と同一であってもよい。第３電源連結線及び第４電源連結線は，第３電源線に供給される駆動電圧と同一となるように第１及び第２電源線の他側からの駆動電圧を電圧降下させ，第４電源線に供給するようにしてもよい。
【発明の効果】
【００２２】
以上説明したように本発明によれば，画素電源線の両端に供給される画素駆動電圧を同じくし，各画素に供給される電流を均一にすることができるので，画像表示部の全体に均一な電流が流れて画質の不均一な特性を改善して均一な画質を得ることが可能となる。
【発明を実施するための最良の形態】
【００２３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
図２は，本発明の第１実施形態にかかる発光表示装置を示す図である。図２に示したように，本発明の第１実施形態による発光表示装置は，基板１１０に位置し，データ線Ｄと走査線Ｓ及び複数の第１画素電源線ＶＤＤによって定義される複数の画素１２１を含む画像表示部１２０と，第１〜第４電源線１５０，１５２，１５４，１５６と，第１〜第４電源連結線１５３，１５５，１５７，１５９を具備する。
【００２５】
そして，本発明の第１実施形態による発光表示装置は，走査駆動部１３０，データ駆動部１４０，第２画素電源線１７０及びパッド部１６０をさらに具備することができる。
【００２６】
走査駆動部１３０は，画像表示部１２０の一側に隣接するように配置され，パッド部１６０の第１パッドＰｓに電気的に接続される。このような，走査駆動部１３０は，第１パッドＰｓからの走査制御信号線によって走査信号を発生して画像表示部１２０の走査線Ｓに順次的に供給する。
【００２７】
データ駆動部１４０は，データ線Ｄに電気的に接続され，パッド部１６０の第２パッドＰｄに電気的に接続される。この時，データ駆動部１４０は基板１１０上に直接形成されるか，またはチップ型態で製作されて基板１１０に実装されうる。ここで，チップ形態のデータ駆動部１４０は，チップオングラス（Ｃｈｉｐ  Ｏｎ  Ｇｌａｓｓ）法，ワイヤボンディング法，プリチップ法及びビームリード法等によって基板１１０上に実装することができる。このような，データ駆動部１４０は，第２パッドＰｄからデータ制御信号及びデータ信号の供給を受けてデータ制御信号によってデータ信号をデータ線Ｄに供給する。
【００２８】
第１電源線１５０は，画像表示部１２０の第１側面（右側面）に隣接するように並んで形成される。この第１電源線１５０の終端はパッド部１６０の第３パッドＰｖｄｄに電気的に接続される。このような，第１電源線１５０は第３パッドＰｖｄｄから第１画素駆動電圧の供給を受けて第１電源連結線１５３を通じて第３電源線１５４に供給すると同時に，第３電源連結線１５７を通じて第４電源線１５６に供給する。
【００２９】
第２電源線１５２は，画像表示部１２０の第２側面（左側面）に隣接するように並んで形成される。この第２電源線１５２の終端はパッド部１６０の第３パッドＰｖｄｄに電気的に接続される。このような，第２電源線１５２は第３パッドＰｖｄｄから第１画素駆動電圧の供給を受けて第２電源連結線１５５を通じて第３電源線１５４に供給すると同時に，第４電源連結線１５９を通じて第４電源線１５６に供給する。
【００３０】
第３電源線１５４は，画像表示部１２０の上側面に隣接するように並んで形成される。この第３電源線１５４は各第１画素電源線ＶＤＤの一側（上側）終端に電気的に接続される。このような，第３電源線１５４は，第１及び第２電源連結線１５３，１５５から供給される第１画素駆動電圧を各第１画素電源線ＶＤＤの一側に供給する。
【００３１】
第４電源線１５６は，画像表示部１２０の下側面に隣接するように並んで形成される。この第４電源線１５６は，各第１画素電源線ＶＤＤの他側（下側）終端に電気的に接続される。このような，第４電源線１５６は第３及び第４電源連結線１５７，１５９から供給される第１画素駆動電圧を各第１画素電源線ＶＤＤの他側に供給する。
【００３２】
第１電源連結線１５３は，Ｕ字型に屈曲されるように形成されて第３電源線１５４の中心を基準として右側線上に電気的に接続される。具体的に，第１電源連結線１５３の一端は，第１電源線１５０の上側に電気的に接続され，他側は第３電源線１５４に電気的に接続される。この時，第１電源連結線１５３の他側は，第３電源線１５４の長さの方向の中心と一側終端の間の中間領域に電気的に接続される。
【００３３】
つまり，第１電源連結線１５３の他側は第３電源線１５４の長さの方向の中心と一側終端の間の中間領域に電気的に接続される。これによって，第１電源連結線１５３の他側と第３電源線１５４の電気的な第１接続点から第３電源線１５４の長さの方向の中心間の距離は，第１接続点から第３電源線１５４の一側終端間の距離と同じくなる。このような，第１電源連結線１５３は，第１電源線１５０から供給される第１画素駆動電圧を第３電源線１５４の右側線上に供給するようになる。
【００３４】
第２電源連結線１５５は，Ｕ字型に屈曲されるように形成されて第３電源線１５４の中心を基準として左側線上に電気的に接続される。具体的に，第２電源連結線１５５の一端は，第２電源線１５２の上側に電気的に接続され，他側は第３電源線１５４に電気的に接続される。
【００３５】
この時，第２電源連結線１５５の他側は第３電源線１５４の長さの方向の中心と他側終端の間の中間領域に電気的に接続される。つまり，第２電源連結線１５５の他側は第３電源線１５４の長さの方向の中心と他側終端の間に対称する地点に電気的に接続される。
【００３６】
これによって，第２電源連結線１５５の他側と第３電源線１５４の電気的な第２接続点から第３電源線１５４の長さの方向の中心との距離は，第２接続点から第３電源線１５４の他側終端間の距離と同じくなる。このような，第２電源連結線１５５は，第２電源線１５２から供給される第１画素駆動電圧を第３電源線１５４の左側線上に供給することになる。
【００３７】
第３電源連結線１５７は，第４電源線１５６の中心を基準として右側線上に電気的に接続される。具体的に，第３電源連結線１５７の一端は，第１電源線１５０の下側に電気的に接続され，他側は第４電源線１５６に電気的に接続される。この時，第３電源連結線１５７の他側は第４電源線１５６の長さの方向の中心と一側終端の間の中間領域に電気的に接続される。つまり，第３電源連結線１５７の他側は第４電源線１５６の長さの方向の中心と一側終端の間に対称される地点に電気的に接続される。
【００３８】
これによって，第３電源連結線１５７の他側と第４電源線１５６の電気的な第３接続点から第４電源線１５６の長さの方向の中心間の距離は，第３接続点から第４電源線１５６の一側終端の距離と同一となる。
【００３９】
一方，第３電源連結線１５７の線幅及び長さは，第１電源連結線１５０から第３電源線１５４の第１接続点に供給される第１画素駆動電圧と，自身を通じて第４電源線１５６の第３接続点に供給される第１画素駆動電圧を同じく設定する。ここで，第３電源連結線１５７の線幅は第１電源線１５０より小さな幅に形成することができる。
【００４０】
これによって，第３電源連結線１５７は第１電源線１５０からの第１画素駆動電圧を電圧降下させて第４電源線１５６の右側線上，すなわち，第３接続点に供給する。
【００４１】
第４電源連結線１５９は，第４電源線１５６の中心を基準として左側線上に電気的に接続される。具体的に，第４電源連結線１５９の一端は第２電源線１５２の下側に電気的に接続され，他側は第４電源線１５６に電気的に接続される。この時，第４電源連結線１５９の他側は第４電源線１５６の長さの方向の中心と他側終端の間の中間領域に電気的に接続される。
【００４２】
つまり，第４電源連結線１５９の他側は，第４電源線１５６の長さの方向の中心と他側終端の間との対称となる地点に電気的に接続される。これによって，第４電源連結線１５９の他側と第４電源線１５６の電気的な第４接続点から第４電源線１５６の長さの方向の中心距離は，第４接続点から第４電源線１５６の他側終端間の距離と同一になる。
【００４３】
一方，第４電源連結線１５９の線幅及び長さは，第２電源連結線１５２から第３電源線１５４の第２接続点に供給される第１画素駆動電圧と，自身を通じて第４電源線１５６の第４接続点に供給される第１画素駆動電圧が同じくなるように設定される。
【００４４】
つまり，第３及び第４電源連結線１５７，１５９は，第１及び第２電源連結線１５３，１５５と異なる線抵抗を持つことになる。ここで，第４電源連結線１５９の線幅は第２電源線１５２より小な幅に形成されうる。これによって，第４電源連結線１５９は，第２電源線１５２からの第１画素駆動電圧を電圧降下させて第４電源線１５６の左側線上，すなわち，第４接続点に供給する。
【００４５】
第２画素電源線１７０は，画像表示部１２０の全面に形成される。このような第２画素電源線１７０は，パッド部１６０の第５パッドＰｖｓｓから伝達される第２画素駆動電圧を各画素１２１に供給する。この時，第２画素電源線１７０は，画像表示部１２０の走査線Ｓと並ぶように分離されて形成されうる。
【００４６】
各第１画素電源線ＶＤＤの一側は，第３電源線１５４に電気的に接続され，他側は第４電源線１５６に電気的に接続される。このような各第１画素電源線ＶＤＤは，第３及び第４電源線１５４，１５６から供給される第１画素駆動電圧を各画素１２１に供給する。この時，各第１の画素電源線ＶＤＤの一側及び他側に供給される第１画素駆動電圧は，第１〜第４連結電源線１５３，１５５，１５７，１５９によって同一になる。
【００４７】
これによって，各画素１２１は走査線Ｓに供給される走査信号によって制御され，データ線Ｄに供給されたデータ信号によって第１画素電源線ＶＤＤから発光素子に供給される電流によって発光し，画像を表示することになる。この時，各画素１２１は少なくとも一つの走査線Ｓから供給される走査信号によって，データ線Ｄに供給されるデータ信号に対応する電流を第１画素電源線ＶＤＤから出力する画素回路を含む。この画素回路は少なくとも一つのトランジスタを含み，少なくとも一つのキャパシタを更に含むことができる。
【００４８】
図３と図２は本発明の第２実施形態による発光表示装置を示す図である。図３に示したように，本発明の第２実施形態による発光表示装置は，第３及び第４電源連結線１５７，１５９を除外すると，図２に図示された本発明の第１実施形態と同一である。これによって，本発明の第２実施形態には第３及び第４電源連結線１５７，１５９を除外したその他の構成については説明を省略する。
【００４９】
第３電源連結線１５７は，Ｓ字型に屈曲されるように形成されて第４電源線１５６の中心を基準として右側線上に電気的に接続される。具体的に，第３電源連結線１５７の一端は，第１電源線１５０の下側に電気的に接続され，他側は第４電源線１５６に電気的に接続される。この時，第３電源連結線１５７の他側は，第４電源線１５６の長さの方向の中心と，一側終端の間の中間領域に電気的に接続される。
【００５０】
つまり，第３電源連結線１５７の他側は，第４電源線１５６の長さの方向の中心と一側終端の間との対称となる地点に電気的に接続される。これによって，第３電源連結線１５７の他側と第４電源線１５６の電気的な第３接続点から第４電源線１５６の長さの方向の中心間の距離は第３接続点から第４電源線１５６の一側終端の距離と同一となる。
【００５１】
一方，第３電源連結線１５７の線幅及び長さは，第１電源連結線１５０から第３電源線１５４の第１接続点に供給される第１画素駆動電圧と，自身を通じて第４電源線１５６の第３接続点に供給される第１画素駆動電圧が同じくなるように設定される。ここで，第３電源連結線１５７の線幅は，第１電源線１５０より小さな幅に形成されうる。
【００５２】
これによって，第３電源連結１５７は第１電源線１５０からの第１画素駆動電圧を電圧降下させて第４電源線１５６の右側線上，つまり第３接続点に供給する。
【００５３】
第４電源連結線１５９は，Ｓ字型に屈曲されるように形成されて第４電源線１５６の中心を基準として左側線上に電気的に接続される。具体的に，第４電源連結線１５９の一端は，第２電源線１５２の下側に電気的に接続され，他側は第４電源線１５６に電気的に接続される。この時，第４電源連結線１５９の他側は，第４電源線１５６の長さの方向の中心と他側終端の間の中間領域に電気的に接続される。
【００５４】
つまり，第４電源連結線１５９の他側は，第４電源線１５６の長さの方向の中心と他側終端の間との対称となる地点に電気的に接続される。これによって，第４電源連結線１５９の他側と第４電源線１５６の電気的な第４接続点から第４電源線１５６の長さの方向の中心間の距離は，第４接続点から第４電源線１５６の他側終端間の距離と同一になる。
【００５５】
一方，第４電源連結線１５９の線幅及び長さは，第２電源連結線１５２から第３電源線１５４の第２接続点に供給される第１画素駆動電圧と自身を通じて第４電源線１５６の第４接続点に供給される第１画素駆動電圧が同じくなるように設定される。
【００５６】
つまり，第３及び第４電源連結線１５７，１５９は，第１及び第２電源連結線１５３，１５５と異なる線抵抗を持つようになる。ここで，第４電源連結線１５９の線幅は第２電源線１５２より小さな幅で形成されうる。
【００５７】
これによって，第４電源連結線１５９は第２電源線１５２からの第１画素駆動電圧を電圧降下させて第４電源線１５６の左側線上，つまり第４接続点に供給する。
【００５８】
図４は図３に示された画像表示部１２０に供給される電流の分布を示す図である。図４を図３と結びつけて見れば，本発明の第２実施形態による発光表示装置は，第３及び第４電源連結線１５７，１５９を利用して第３及び第４電源線１５４，１５６に供給される第１画素駆動電圧を同一とすることで，画像表示部１２０に供給される電流の不均一な特性が全体的に改善されたことが分かる。
【００５９】
つまり，図４から分かるように，画像表示部１２０に隣接した第１及び第２電源線１５０，１５２での電圧降下及び第１画素電源線ＶＤＤの電圧降下のため，少し不均一な電流の分布を表すが，全体的に画像表示部１２０全体に流れる電流の分布は左右及び上下対称的に均一になるということが分かる。
【００６０】
一方，本発明の第１実施形態による発光表示装置の画像表示部１２０に供給される電流の分布も図４と同様となる。
【００６１】
図５は図４に示された第１〜ｎ個の走査線に接続される各画素１２１に供給される電流量を示す図面である。図５を図２及び第３と結びつけて見れば，第１〜ｎ個の走査線に接続される各画素１２１に供給される電流は，対称的に同じく供給されることが分かる。
【００６２】
つまり，画像表示部１２０に流れる電流は，第３及び第４電源連結線１５７，１５９によって第１画素電源線ＶＤＤの一側及び他側に供給される第１画素駆動電圧が同一であるから，第１走査線の位置に対応される画像表示部１２０の上側領域と第ｎ走査線に対応される画像表示部１２０の下側領域が均一になる。
【００６３】
このような本発明の第１及び第２実施形態による発光表示装置は，第３及び第４電源連結線１５７，１５９を利用して第３及び第４の電源線１５４，１５６に供給される第１画素駆動電圧の電圧降下を同じくすることで，第１画素電源線ＶＤＤから各画素１２１に供給される電流を均一にさせられる。
【００６４】
これによって，本発明の第１及び第２実施形態による発光表示装置は，画像表示部１２０全体に均一な電流が流がれることになって画質の不均一な特性を改善させて均一な画質が得られる。
【００６５】
一方，図６は本発明の第３実施形態による発光表示装置を示す図である。図６に示したように，本発明の第３実施形態による発光表示装置は，画像表示部１２０のデータ線Ｄにデータ信号を供給するためのデータ駆動部１４０を除外して，上述した本発明の第１及び第２実施形態による発光表示装置の各々と同一となる。
【００６６】
本発明の第３実施形態による発光表示装置のデータ駆動部１４０は，基板１１０に接続されるフレキシブル回路基盤（Ｆｌｅｘｉｂｌｅ  Ｐｒｉｎｔｅｄ  Ｃｉｒｃｕｉｔ）１８０上に実装される。
【００６７】
これによって，データ駆動部１４０は，基板１１０のパッド部を通じて画像表示部１２０のデータ線Ｄに電気的に接続されてデータ信号を供給する。この時，データ駆動部１４０は，フレキシブル回路基盤１８０以外にも印刷回路基板（Ｐｒｉｎｔｅｄ  Ｃｉｒｃｕｉｔ  Ｂｏａｒｄ）上に実装されるチップオンボード（Ｃｈｉｐ  ｏｎ  Ｂｏａｒｄ），フィルム上に直接実装されるチップオンフィルム（Ｃｈｉｐ  ｏｎ  Ｆｉｌｍ），またはテープキャリアーパッケージ（Ｔａｐｅ  Ｃａｒｒｉｅｒ  Ｐａｃｋａｇｅ）に採用される通常的なフィルム型連結素子に実装されうる。
【００６８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６９】
本発明は，発光表示装置に適用可能であり，特に電源線の電圧降下を均一にし，発光輝度を均一にする発光表示装置に適用可能である。
に適用可能である。
【図面の簡単な説明】
【００７０】
【図１】一般的な発光表示装置を示すブロック図である。
【図２】本発明の第１実施形態にかかる発光表示装置を示すブロック図である。
【図３】本発明の第２実施形態にかかる発光表示装置を示すブロック図である。
【図４】図３に示された各画素の位置による電流の分布を示す説明図である。
【図５】図２及び図３に示された各走査線に接続された各画素に供給される電流量を示す説明図である。
【図６】本発明の第３実施形態にかかる発光表示装置を示すブロック図である。
【符号の説明】
【００７１】
１０，１１０  基板
２１，１２１  画素
２０，１２０  画像表示部
３０，１３０  走査駆動部
４０，１４０  データ駆動部
５０，１５０  第１電源線
６０，１６０  パッド部
１５２        第２電源線
１５３        第１電源連結線
１５４        第３電源線
１５５        第２電源連結線
１５６        第４電源線
１５７        第３電源連結線
１５９        第４電源連結線
１７０        第２画素電源線
【図１】
2006113587.tif 000003
【図２】
2006113587.tif 000004
【図３】
2006113587.tif 000005
【図５】
2006113587.tif 000006
【図６】
2006113587.tif 000007
【図４】
2006113587.tif 000008